(57)【特許請求の範囲】
【請求項１】
カードリーダライタと、該カードリーダライタに挿入されたプリペイドカードのカードデータを受けて給油機構を制御する給油制御装置と、該給油制御装置に制御され、油種が異なる複数の給油機構を設けた給油装置において、
給油装置のハウジングには、ガソリンの給油機構と軽油の給油機構が組み込まれ、
ガソリンの給油機構の給油管はガソリンの貯油タンクに接続され、給油管にはポンプ、流量計、及び制御弁が介装され、給油管はハウジング外に導出され、先端に給油ノズルを設けた給油ホースが接続され、給油ノズルを掛けるノズル掛けはハウジングに設けられ、ノズル掛けにはノズルスイッチが設けられ、
軽油の給油機構の給油機構の給油管は軽油の貯油タンクに接続され、給油管にはポンプ、流量計、及び制御弁が介装され、給油管はハウジング外に導出され、先端に給油ノズルを設けた給油ホースが接続され、給油ノズルを掛けるノズル掛けはハウジングに設けられ、ノズル掛けにはノズルスイッチが設けられ、
また、ハウジングにはプリペイドカード用のカードリーダライタ、給油量及び給油金額を表示する表示器、及び前記各機器に接続された給油制御装置が設けられ、カードリーダライタで読まれるプリペイドカードには、ガソリン又は軽油の油種、及び金額が記憶され、
前記給油制御装置は、カードリーダライタで読み込まれたプリペイドカードがガソリン用のカードであると、ガソリンの給油機構を可動状態にし、ノズルスイッチのオン信号を受けて表示器を帰零し、制御弁を開き、ポンプを駆動し、給油金額をプリペイドカードに記憶されていた金額から減算し、そして、減算された残金額が零となる前にノズルスイッチからオフ信号が入力すると、制御弁を閉じポンプを停止し、残金額をプリペイドカードに記憶してカードリーダライタから放出し、また、給油中にプリペイカードの残金額が零になると、制御弁を閉じてポンプを停止し、ノズルスイッチからオフ信号が入力すると、残金額零をプリペイドカードに記憶してカードリーダライタから放出し、さらに、カードリーダライタに挿入されたプリペイドカードが軽油用のカードの場合は、軽油の給油機構を可動状態にして、ガソリンと同様の給油制御を実行するようになっていることを特徴とした給油装置。
【発明の詳細な説明】
【０００１】
【発明の属する技術分野】
本発明は、カードリーダライタにプリペイドカードを挿入して給油及び精算がおこなわれる給油装置に関するものである。
【０００２】
【従来の技術】
自動車の燃料油には、ガソリンと軽油があり、この燃料油を間違えて給油した場合にはエンジントラブルとなり、交通事故を引き起こすことがある。そこで本出願人は、自動車の燃料タンク内の油種を判別して誤油種給油を防止したガスセンサ付きの給油装置を、特開平６ー３４５１９６号として提案している。このものは有効であるが、ガスセンサは高価であり、給油装置が高価となっている。また、プリペイドカードで精算される給油装置、及び顧客が自分で給油をするセルフサービスの給油装置が実用化されつつあり、これらの機能を付加した給油装置はさらに高価となっている。
【０００３】
【発明が解決しようとする課題】
本発明の目的は前記従来例の不都合を解消し、プリペイドカードで油種を間違えることなく給油でき、セルフサービス用としても有効で安価な給油装置を提供することである。
【０００４】
【課題を解決するための手段】
前記目的を達成するため本発明は、カードリーダライタと、該カードリーダライタに挿入されたプリペイドカードのカードデータを受けて給油機構を制御する給油制御装置と、該給油制御装置に制御され、油種が異なる複数の給油機構を設けた給油装置において、給油装置のハウジングには、ガソリンの給油機構と軽油の給油機構が組み込まれ、ガソリンの給油機構の給油管はガソリンの貯油タンクに接続され、給油管にはポンプ、流量計、及び制御弁が介装され、給油管はハウジング外に導出され、先端に給油ノズルを設けた給油ホースが接続され、給油ノズルを掛けるノズル掛けはハウジングに設けられ、ノズル掛けにはノズルスイッチが設けられ、軽油の給油機構の給油機構の給油管は軽油の貯油タンクに接続され、給油管にはポンプ、流量計、及び制御弁が介装され、給油管はハウジング外に導出され、先端に給油ノズルを設けた給油ホースが接続され、給油ノズルを掛けるノズル掛けはハウジングに設けられ、ノズル掛けにはノズルスイッチが設けられ、また、ハウジングにはプリペイドカード用のカードリーダライタ、給油量及び給油金額を表示する表示器、及び前記各機器に接続された給油制御装置が設けられ、カードリーダライタで読まれるプリペイドカードには、ガソリン又は軽油の油種、及び金額が記憶され、前記給油制御装置は、カードリーダライタで読み込まれたプリペイドカードがガソリン用のカードであると、ガソリンの給油機構を可動状態にし、ノズルスイッチのオン信号を受けて表示器を帰零し、制御弁を開き、ポンプを駆動し、給油金額をプリペイドカードに記憶されていた金額から減算し、そして、減算された残金額が零となる前にノズルスイッチからオフ信号が入力すると、制御弁を閉じポンプを停止し、残金額をプリペイドカードに記憶してカードリーダライタから放出し、また、給油中にプリペイカードの残金額が零になると、制御弁を閉じてポンプを停止し、ノズルスイッチからオフ信号が入力すると、残金額零をプリペイドカードに記憶してカードリーダライタから放出し、さらに、カードリーダライタに挿入されたプリペイドカードが軽油用のカードの場合は、軽油の給油機構を可動状態にして、ガソリンと同様の給油制御を実行するようになっていることを要旨とするものである。
【０００５】
本発明によれば、カードリーダライタと、該カードリーダライタに挿入されたプリペイドカードのカードデータを受けて給油機構を制御する給油制御装置と、該給油制御装置に制御され、油種が異なる複数の給油機構を設けた給油装置において、前記プリペイドカードには油種が記憶され、前記給油制御装置はプリペイドカードに記憶されている油種の給油機構を制御するので、プリペイドカードに記憶されている油種の給油機構だけから給油をすることができ、油種を間違えることがなくなる。
【０００６】
【発明の実施の形態】
以下、本発明の実施の形態を説明する。図１に示すように、給油装置１のハウジング２には、ガソリンの給油機構３と軽油の給油機構４が組み込まれている。
【０００７】
ガソリンの給油機構３の給油管５はガソリンの貯油タンク６に接続され、給油管５にはポンプ７、流量計８、及び制御弁９が介装されている。給油管５はハウジング２外に導出され、先端に給油ノズル１０を設けた給油ホース１１が接続されている。給油ノズル１０を掛けるノズル掛け１２はハウジング２に設けられ、ノズル掛け１２にはノズルスイッチ１３が設けられている。
【０００８】
軽油の給油機構４もガソリンの給油機構３と同様に、給油管１５は軽油の貯油タンク１６に接続され、給油管１５にはポンプ１７、流量計１８、及び制御弁１９が介装されている。給油管１５はハウジング２外に導出され、先端に給油ノズル２０を設けた給油ホース２１が接続されている。給油ノズル２１を掛けるノズル掛け２２はハウジング２に設けられ、ノズル掛け２２にはノズルスイッチ２３が設けられている。
【０００９】
また、ハウジング２にはプリペイドカード１４用のカードリーダライタ２５、給油量及び給油金額を表示する表示器２６、及び上述した各機器に接続された給油制御装置２７が設けられている。カードリーダライタ２５で読まれるプリペイドカード１４には、ガソリン又は軽油の油種、及び金額が記憶されている。
【００１０】
給油制御装置２７は、カードリーダライタ２５で読み込まれたプリペイドカード１４がガソリン用のカードであると、ガソリンの給油機構３を可動状態にし、ノズルスイッチ１３のオン信号を受けて表示器２６を帰零し、制御弁９を開き、ポンプ７を駆動する。給油中は、流量計８の流量パルスより給油量及び給油金額を演算して表示器２６に表示し、給油金額をプリペイドカード１４に記憶されていた金額から減算する。そして、減算された残金額が零となる前にノズルスイッチ１３からオフ信号が入力すると、制御弁９を閉じポンプ７を停止し、残金額をプリペイドカード１４に記憶してカードリーダライタ２５から放出する。また、給油中にプリペイカードの残金額が零になると、制御弁９を閉じてポンプ７を停止し、ノズルスイッチ１３からオフ信号が入力すると、残金額零をプリペイドカード１４に記憶してカードリーダライタ２５から放出する。さらに、カードリーダライタ２５に挿入されたプリペイドカード１４が軽油用のカードの場合は、軽油の給油機構４を可動状態にして、ガソリンと同様の給油制御を実行するようになっている。
【００１１】
次に、図２のフロー図に基づいて、給油装置１をセルフサービスで使用した例の動作を説明する。給油をする顧客はプリペイドカード１４をカードリーダライタ２５に挿入すると、油種及び金額などのカードデータが読み取られ、このプリペイドカード１４がガソリン用のカードであると（ＳＴ１）、給油制御装置２７はガソリンの給油機構３を可動状態にする。顧客がガソリン用の給油ノズル１０をノズル掛け１２から外し、ノズルスイッチ１３からオン信号が入力すると（ＳＴ２）、給油制御装置２７は表示器２６に表示されていた前回の表示を帰零し、制御弁９を開きポンプ７を駆動する（ＳＴ３）。そして、給油ノズル１０を自動車の給油口に挿入して、給油を始める。
【００１２】
流量計８の流量パルスが入力すると（ＳＴ４）、給油制御装置２７は流量パルスより給油量及び給油金額を演算して表示器２６に表示し、演算された給油金額をプリペイドカード１４に記憶されていた金額から減算する（ＳＴ５）。このようにして給油がおこなわれ、減算された残金額が零となる前に給油が終わり（ＳＴ６）、給油ノズル１０をノズル掛け１２に掛け、ノズルスイッチ１３からオフ信号が入力すると（ＳＴ７）、給油制御装置２７は制御弁９を閉じポンプ７を停止する（ＳＴ８）。そして、残金額をプリペイドカード１４に記憶してカードリーダライタ２５から放出する（ＳＴ９）。
【００１３】
なお、ステップＳＴ６において、給油中にプリペイカード１４の残金額が零になると、給油制御装置２７は制御弁９を閉じてポンプ７を停止する（ＳＴ１０）。そして、給油ノズル１０をノズル掛け１２に掛け、ノズルスイッチ１３からオフ信号が入力すると（ＳＴ１１）、残金額零をプリペイドカード１４に記憶してカードリーダライタ２５から放出する（ＳＴ９）。
【００１４】
また、カードリーダライタ２５に挿入されたプリペイドカード１４が軽油用のカードの場合は（ＳＴ１２）、給油制御装置２７は軽油の給油機構４を可動状態にして、ガソリンと同様の給油制御を実行する（ＳＴ１３）。
【００１５】
さらに、自動車の燃料油のガソリンにはプレミアムガソリンとレギュラーガソリンがあり、軽油にもプレミアム軽油とレギュラー軽油がある。この油種同士では混油をしてもエンジンに殆ど悪影響がないが、これらも厳密に区別したい場合には、プレミアムガソリン用のプリペイドカード、レギュラーガソリン用のプリペイドカード、プレミアム軽油用のプリペイドカード、レギュラー軽油用のプリペイドカードの４種類のプリペイドカードを用意し、そのプリペイドカードを挿入することにより、その油種の給油機構だけを可動状態になるようにしても良い。
【００１６】
【発明の効果】
以上説明したように本発明は、カードリーダライタと、該カードリーダライタに挿入されたプリペイドカードのカードデータを受けて給油機構を制御する給油制御装置と、該給油制御装置に制御され、油種が異なる複数の給油機構を設けた給油装置において、前記プリペイドカードには油種が記憶され、前記給油制御装置はプリペイドカードに記憶されている油種の給油機構を制御するので、プリペイドカードに記憶されている油種の給油機構だけから給油をすることができ、油種を間違えることがなくなる。
【図面の簡単な説明】
【図１】  本発明の給油装置の説明図である。
【図２】  給油制御装置のフロー図である。
【符号の説明】
１  給油装置
２  ハウジング
３  ガソリンの給油機構
４  軽油の給油機構
５、１５  給油管
６、１６  貯油タンク
７、１７  ポンプ
８、１８  流量計
９、１９  制御弁
１０、２０  給油ノズル
１１、２１  給油ホース
１２、２２  ノズル掛け
１３、２３  ノズルスイッチ
１４  プリペイドカード
２５  カードリーダライタ
２６  表示器
２７  給油制御装置
【図１】
0003975543.tif 000002
【図２】
0003975543.tif 000003